(57)【特許請求の範囲】
【請求項１】
上下端が開放され、内部に袋体（４）を挿入し、該袋体（４）を上部開口端において開口状態で係止する多数の筒状体（７）を固定的に連接させて整列配置した枠体（１）と、袋体（４）を係止した状態の各筒状体（７）の上部開口端に挿入される下向きの土入れ口（２６）を形成し、枠体（１）の上面に載置されて筒状体（７）間の間隙を塞ぐように覆うカバー（２）とを設け、下端が接地面に接して枠体（１）を支持するとともに枠体底部を接地面に対して昇降調節する調節具（２３）を枠体（１）の外周側に取り付けてなる袋詰器における袋詰量調節装置。
【請求項２】
調節具（２３）がジャッキである請求項１の袋詰器における袋詰量調節装置。
【発明の詳細な説明】
【０００１】
【発明の属する技術分野】
この発明は主として土木工事その他に用いる土のう、サンドバック等の袋詰器における袋詰量調節装置に関する。
【０００２】
【従来の技術及び発明が解決しようとする課題】
従来上記のような土のうやサンドバックは、スコップ等を用いて専ら人手によって袋詰めする方法や、ホッパー、コンベアを備えた動力付の袋詰器の排出口において、袋体を開口させて排土等を収容して袋詰めする方法等が知られている。しかし手作業による方法は作業能率や作業の過重労働の問題があり、袋詰器による場合は機械本体は勿論、本体への土の投入や袋詰め後の袋体の移動設備等の配置のための設備コストが大きく、さらに地盤の整っていない土木現場や山頂や河岸等の平坦地の少ない場合等での使用又は機械の移動や設置労力等の面で使用困難な場合がある。
【０００３】
これに対し本発明者等は例えば特願平７−３４４６１２号の明細書及び図面に示されるように上下端が開放され内部に袋体を開口状態で挿入係止する多数の筒状体を固定的に整列配置した枠体と袋体挿入係止後に枠体の上面の筒状体間の間隙を塞ぐように覆う土等の投入口（開口窓）付きのカバーとからなる袋詰器を提案している。
上記袋詰器は袋体挿入係止後に覆われたカバー上に土等を載せ、投入口から各袋体内に定量の土等を落下投入し、カバーを外して枠体を吊り上げ除去することにより、袋体を整列させた状態で袋詰めを完了させるものであり、土木業者の既存の移動クレーンやバクフォー等の設備をそのまま利用できるほか、作業性、コスト面でも優れた特徴を備えたものである。
【０００４】
しかし上記袋詰器は、そのまま平坦な接地面上で使用すると袋詰め量が筒状体の高さによって定まり、用途や目的に応じた袋詰め量の調節が困難である。
この発明はこれらの問題を解決するために、袋詰作業時に枠体の接地高さを調節することにより、各袋体への袋詰め量を調節する機構を提供せんとするものである。
【０００５】
【課題を解決するための手段】
上記問題点を解決するための本発明の装置は、第１に上下端が開放され、内部に袋体４を挿入し、該袋体４を上部開口端において開口状態で係止する多数の筒状体７を固定的に連接させて整列配置した枠体１と、袋体４を係止した状態の各筒状体７の上部開口端に挿入される下向きの土入れ口２６を形成し、枠体１の上面に載置されて筒状体７間の間隙を塞ぐように覆うカバー２とを設け、下端が接地面に接して枠体１を支持するとともに枠体底部を接地面に対して昇降調節する調節具２３を枠体１の外周側に取り付けてなることを特徴としている。
【０００６】
【発明の実施の形態】
図面は本発明の実施形態を示し、図１は本発明の袋詰器と袋詰め後の袋を吊り上げる吊り具とを示している。袋詰器は枠体１とカバー２とからなりいずれもＦＲＰ製である。３は袋詰め後の土のう４（図３参照）を吊り上げ搬送するための吊り具である。
枠体１は下半部１ａと上半部１ｂ及び長方形の枠状をなす周壁枠１ｃとの３つの部分に分割形成され、互いに重ね合わせるように組み合わせられ、後述するＦＲＰの接合シート８，１２，１３によって一体的に接合形成されている。
【０００７】
下半部１ａは底部を構成する１枚の下部プレート６に多数（４列×８列で合計３２個）の台形筒状で且つ上下開放形の下部筒状体７ａが一体的に突設形成され、さらに上半部１ｂも１枚の上部プレート９に台形筒状で且つ上下開放形の上部筒状体７ｂが一体的に突設されている。上下の筒状体７ａ，７ｂはそれぞれ対応した位置で重ね合わされ、内面側をＦＲＰの接合シート８で粘着されて一体的に接合し、それぞれ一体の連続した筒状体７を形成している。
下半部１ａ，上半部１ｂのプレート６，９は共に外周縁が最外側の筒状体７の外側面よりフランジ状に突出しており、特に上部プレート９の周縁は上部周縁部９ａを構成している。また周縁枠１ｃは上下方向の壁部１１と壁部１１の下端で外側にＬ字形に屈曲してフランジ状に突出する下部周縁部１１ａとからなっている。
【０００８】
また周壁枠１ｃはその底面が同一平面となるように下部プレート６の下端に嵌合しており、壁部１１の上端は上部周縁部９ａの下面に当接している。そして周縁部９ａ下面と壁部１１の外周面とのコーナー部及び下部周縁部１１ａと下部プレート６の底面とはＦＲＰの接合シート１２，１３でそれぞれ貼着嵌合されている。前記下半部１ａ，上半部１ｂ及び周壁枠１ｃはいずれも所定の成形型にグラスファイバー等の短繊維を含む合成樹脂材を吹き付け固化させ、所定寸法にカッティングして形成したものである。
【０００９】
前記上部周縁部９ａには前後各２ケ所（計４ケ所）にリング付の吊り上げボルト１４が上向きに突出するように挿通固定して取り付けられ、吊り上げボルト１４のリング部には吊り上げロープのフック（図示しない）を係止する吊り環１６が設けられている。上部周縁部９ａのボルト挿通部底面側には鉄板からなる補強プレート１７が接着固定して取り付けられている。
さらに下部周縁部１１ａの四隅のコーナー部付近の底面側には鉄板製の補強プレート１８が接着して取り付けられ、該プレート１８の上面には内部に上下方向のねじ孔が貫通しているボス部１９が突設されて下部周縁部１１ａの上面側に貫通突出しており、上記ボス１９には下端に皿状の接地部２１を付設したボルト２２が上下移動可能にねじ込まれ、このボルト２２とボス部１９とでジャッキ２３（高さ調節具）が構成され、ボルト２２と一体のナット状（六角形）の係合部２４をレンチやスパナ等で回動させて上下動させることにより、枠体１は接地面に対して上下高さを調節できる。
【００１０】
カバー３は図のように枠体１に載置した時、上部筒状体７ｂの開口端に挿入される下向きの短筒状の土入れ口（窓）２６を形成しており、図２に示すように筒状体７の内部に袋体４を挿入し、開口部を上部筒状体７ｂに折り返して係止した状態で枠体１上に載置して使用するものであり、カバー３の上部よりバックフォー等で土を載せ、これをならしながら上記土入れ口２６より落下投入することにより、袋体４内に所定量の土入れを行うことが出来る。
この時ジャッキ２３により枠体１と接地面との高さＨ１を調節することによって、枠体１の高さＨを調節し、枠体１の容積調節、即ち土等の収容量を大小調節することが可能である。また上部筒状体７ｂの突出高さＨ２をある程度長寸に確保しておくことにより、袋体開口部の折り返し幅の大小の自由度が増し、前記枠体高さＨの調節幅に対応し易くなる。
【００１１】
吊り具３は枠体１の筒状体７の配列ピッチに対応した間隔で４本の鉄パイプ製の係止ビーム２７を長手方向に平行に配した吊り枠２８と、該吊り枠２８の下面側に係止ビーム２７と交差方向に左右各１本固着されているプレート状の吊りビーム２９とを備えている。各吊りビーム２９には吊り上げ用のロープ３０（図３）又はフック等を係止する吊り環３１が四点配置して設けられ、係止ビーム２７には枠体１の筒状体７の長手方向の配列ピッチに対応して、パイプ断面側方に土のう紐３３係止用の係止ピン３２が溶着して突設されるとともに、パイプ断面上方には上記係止ピン３２に係止した土のう紐３３をパイプ断面上方で挟持固定するピン状の紐押さえ３４が楔状に斜め方向に溶着により付設されている。
【００１２】
即ち枠体１とカバー２を用いて土のう詰めを行いカバー２の除去及び枠体１の吊り上げ脱型後に整列状態で残された３２個の土のうは、紐３３で口締めされ、図３に示すように紐３３の終端のループを係止ビーム２７の断面上側を経由させて係止ピン３２に係止し、ビーム２７断面の上側において紐押さえ３４とビーム２７の上面との楔状の隙間に紐３３を挿入挟持せしめて、吊り上げ時までの紐外れを防止している。この時吊りビーム２９は袋体４と係止ピン３２の間に一定の空間を形成するスペーサーとしても機能する。
上記のようにして各土のうの紐３３を吊り具３側に係止した後、吊り環３１をロープ３０及びクレーンにより吊り上げ、所定位置に積み降ろしする。
【００１３】
【発明の効果】
以上のように構成される本発明によれば、独自の機械設備が不要で且つ重労働を伴わないで土のう詰めその他の袋詰め作業が可能であり、土のう製造等がコスト的にも能率的にも有利であるほか、枠体の接地高さを調節することにより、袋体のサイズに応じ又は同一サイズの袋間での土その他の収容物の袋詰量の調節ができ、目的や用途その他の条件に応じた量の袋詰めが可能となるという利点を有する。
【図面の簡単な説明】
【図１】本発明装置を備えた袋詰器及び吊り上げ具等のセットを示す全体斜視図である。
【図２】袋詰器とその使用方法を示す部分拡大断面図である。
【図３】袋詰器の土のうの吊り上げ状態を示す斜視図である。
【符号の説明】
１    枠体
４    袋体
７    筒状体
２３  調節具
【図１】
0003795618.tif 000002
【図２】
0003795618.tif 000003
【図３】
0003795618.tif 000004